(57)【要約】【課題】  露出に基づく撮影ミスを軽減させる。【解決手段】被写体画像全体の平均的な第１露出値（ステップＳ３）、及び被写体画像を複数に分割した領域それぞれに対して求める第２露出値（ステップＳ７）を求め、これらの露出値の差（露出差）をすべての領域毎に演算し、その結果、予め定められた大きさの露出差が生じている領域については、予め定められた色で着色させることとした（ステップＳ１１）。また、この領域に生じている露出差の大きさは、着色された領域の近傍表示されるので、撮影者は、露出差が生じている領域と、その領域における露出差の大きさを容易に認識することが可能になる。【選択図】        図４
2006270631.tif 000002
【特許請求の範囲】
【請求項１】
被写体画像全体の平均的な輝度値と前記被写体画像を複数に分割した領域毎の輝度値とを測定する測光手段と、
前記平均的な輝度値に基づいて算定される第１露出値と、前記領域毎の輝度値に基づいて領域毎に算定される第２露出値とを求め、前記第１露出値と第２露出値との露出差を前記領域毎に演算する露出差演算部を有する演算手段と、
前記被写体画像を表示する表示手段とを備えたデジタルカメラにおいて、
前記領域で前記露出差が生じていない場合には、前記被写体画像を前記表示手段に表示させる一方、前記領域のいずれかで前記露出差の生じている場合には、前記被写体画像のうち前記露出差が生じている領域をその露出差の大きさと予め対応付けられた色で着色表示させるとともに、前記演算手段による演算結果を文字表示させる表示制御手段とを備えたことを特徴とするデジタルカメラ。
【請求項２】
前記演算手段は、前記露出差演算部で演算された露出差に基づいて、前記露出差の生じている領域を適正露出とするための補正値を演算する補正値演算部を有し、
前記表示制御手段は、前記補正値を前記演算結果として文字表示することを特徴とする請求項１記載のデジタルカメラ。
【請求項３】
前記演算手段は、前記露出差演算部で演算された露出差に基づいて、前記露出差の生じている領域を適正露出とするための絞り値、シャッタ速度、感度の少なくとも何れか一つを演算する露出設定値演算部を有し、
前記表示制御手段は、前記絞り値、シャッタ速度、感度の少なくとも何れか一つを前記演算結果として文字表示することを特徴とする請求項１記載のデジタルカメラ。
【請求項４】
前記デジタルカメラは、ストロボ装置を備え、
前記演算手段は、前記露出差演算部で演算された露出差に基づいて、前記露出差の生じている領域を適正露出とするための前記ストロボ装置の発光量を演算する発光量演算部を有し、
前記表示制御手段は、前記発光量を前記演算結果として文字表示することを特徴とする請求項１記載のデジタルカメラ。
【請求項５】
前記デジタルカメラは、前記演算手段が演算する前記領域を選択することができる選択手段を備えたことを特徴とする請求項１ないし４のいずれか一に記載のデジタルカメラ。
【発明の詳細な説明】
【技術分野】
【０００１】
本発明は、撮影した被写体画像を電子データとして記録媒体に記録するデジタルカメラに関し、さらに詳しくは、撮影をする際に露出補正をすることが可能なデジタルカメラに関する。
【背景技術】
【０００２】
デジタルカメラには、撮影レンズの背後にＣＣＤ等の固体撮像素子が設けられている。デジタルカメラにおける画像データの生成は、この固体撮像素子から出力される信号に基づいて行われる。
【０００３】
デジタルカメラは、撮影した画像のうち再現できる明るさの範囲（ダイナミックレンジ）が狭いことが知られている。このため、コントラストの高い画像をデジタルカメラで撮影した場合には、この再現できる明るさの範囲より明るい部分は真っ白に写り、この範囲より暗い部分は真っ黒に写る現象が生じやすいという問題がある。
【０００４】
また、自動露出モード（ＡＥモード）で撮影する場合には、デジタルカメラが適正として決定した露出値に基づいて撮影が行われる。このため、上述のようなコントラストの高い画像を撮影する場合等には、デジタルカメラが適正として決定した露出値と、撮影者が再現したい部分の露出値との間にズレが生じることがある。このズレが大きいと、撮影者が再現したい部分が、真っ白又は真っ黒に撮影されてしまうという問題がある。
【０００５】
したがって、このような問題点に基づく撮影ミスを減少させることを目的として、デジタルカメラに内蔵される自動露出機能（ＡＥ）の性能を向上させたデジタルカメラ（特許文献１）や、撮影者が設定したシャッタ露出値に対して被写体の露出がオーバーやアンダーになるときには事前に報知するデジタルカメラ（特許文献２）が公開されている。
【特許文献１】特開平５−６４０６８号公報
【特許文献２】特開平８−１３９９７１号公報
【発明の開示】
【発明が解決しようとする課題】
【０００６】
しかしながら、特許文献１及び特許文献２に記載されているデジタルカメラであっても、撮影した被写体画像のうち、撮影者が再現したい部分が真っ白又は真っ黒に撮影されることが回避できるわけではない。したがって、かかる場合には撮影者が露出補正を行うことになる。ところが、撮影者は、デジタルカメラから露出オーバー又はアンダーになることを事前に知らされたとしても、どの領域で露出差が生じているのか、また、その露出差が定量的にどの程度なのかを知ることができなければ、撮影者が満足できるような画像を得ることが難しいという問題点がある。
【０００７】
本発明は、このような問題点に鑑みてなされたものであり、その目的とするところは、撮影者が再現したい部分の露出値とカメラが決定した露出値との間で露出差が生じている領域と、その領域で生じている露出差の量を表示手段に表示させることにより、撮影者が希望する被写体画像を撮影することができるデジタルカメラを提供することにある。
【課題を解決するための手段】
【０００８】
上記問題点を解決するにあたり、本発明は、被写体画像全体の平均的な輝度値と前記被写体画像を複数に分割した領域毎の輝度値とを測定する測光手段と、前記平均的な輝度値に基づいて算定される第１露出値と、前記領域毎の輝度値に基づいて領域毎に算定される第２露出値とを求め、前記第１露出値と第２露出値との露出差を前記領域毎に演算する露出差演算部を有する演算手段と、前記被写体画像を表示する表示手段とを備えたデジタルカメラにおいて、前記領域で前記露出差が生じていない場合には、前記被写体画像を前記表示手段に表示させる一方、前記領域のいずれかで前記露出差の生じている場合には、前記被写体画像のうち前記露出差が生じている領域をその露出差の大きさと予め対応付けられた色で着色表示させるとともに、前記演算手段による演算結果を文字表示させる表示制御手段とを備えたことを特徴とする。
【０００９】
また、前記演算手段は、前記露出差演算部で演算された露出差に基づいて、前記露出差の生じている領域を適正露出とするための補正値を演算する補正値演算部を有し、前記表示制御手段は、前記補正値を前記演算結果として文字表示することを特徴とする。
【００１０】
また、前記演算手段は、前記露出差演算部で演算された露出差に基づいて、前記露出差の生じている領域を適正露出とするための絞り値、シャッタ速度、感度の少なくとも何れか一つを演算する露出設定値演算部を有し、前記表示制御手段は、前記絞り値、シャッタ速度、感度の少なくとも何れか一つを前記演算結果として文字表示することを特徴とする。
【００１１】
また、前記デジタルカメラは、ストロボ装置を備え、前記演算手段は、前記露出差演算部で演算された露出差に基づいて、前記露出差の生じている領域を適正露出とするための前記ストロボ装置の発光量を演算する発光量演算部を有し、前記表示制御手段は、前記発光量を前記演算結果として文字表示することを特徴とする。
【００１２】
また、前記デジタルカメラは、前記演算手段が演算する前記領域を選択することができる選択手段を備えたことを特徴とする。
【発明の効果】
【００１３】
本発明によれば、露出差の大きさと対応付けて予め設定されている色を露出差が発生している領域に着色し、露出差の演算における演算結果も文字表示するので、撮影者は、どの程度の露出差がどの領域で生じているのかを容易に認識することができ、その露出差を解消するためにどの程度の補正をすればよいのかを容易に認識することが可能になる。また、撮影者が上述の表示をさせる領域を任意に選択できる選択手段を設けることによって、表示手段の表示を見やすくすることができると共に、デジタルカメラの処理速度を向上させることが可能になる。
【発明を実施するための最良の形態】
【００１４】
本発明の第１の形態であるデジタルカメラ１の外観を図１及び図２に示す。図１に示すように、デジタルカメラ１は、略直方体のカメラボディ２の前面にレンズバリア３、撮影レンズ４、ストロボ装置５が設けられている。
【００１５】
レンズバリア３は、撮影レンズ４及びストロボ装置５を覆う閉じ位置と、撮影レンズ４及びストロボ装置５を露呈させる開き位置との間でスライド移動する。撮影レンズ４は、通常はカメラボディ２に収納された状態になっており、撮影する場合にはカメラボディ２の前面側に延出した状態になる。ストロボ装置５は、例えば、夜間における撮影時等のように、外部の輝度のみによっては適正な露出の撮影が行えないような場合に瞬間的に発光する。
【００１６】
カメラボディ２の上面には、レリーズボタン６等が設けられている。レリーズボタン６は２段階押しのスイッチとなっている。レリーズボタン６を半押しすると、スルー画像表示時において調整されるＡＥ（Ａｕｔｏ  Ｅｘｐｏｓｕｒｅ）及びＡＦ（Ａｕｔｏ  Ｆｏｃｕｓ）に対して高精度なＡＥ及びＡＦ等の調整が行われる。レリーズボタン６が半押しされた時に調整されたＡＥ及びＡＦの条件は、レリーズボタン６を半押ししている間はロックされている。レリーズボタン６を半押しした後に全押しすると、このロックされた条件で撮影が行われる。
【００１７】
カメラボディ２の裏面には、ＬＣＤ（表示手段）７、各種操作ボタン及びファインダ８等が設けられている。ＬＣＤ７には、例えば液晶パネル等が使用されている。このＬＣＤ７は、撮影モード時にはビューファインダとして使用され、再生モード時には撮影後の画像データを再生表示する。
【００１８】
各種操作ボタンには、撮影モードや再生モード等の切り替えを行うモード切替スイッチ９、ズーム操作を行うズームボタン１０、設定メニューを呼び出すメニューボタン１１、設定のキャンセル操作を行うキャンセルボタン１２、ＬＣＤ７をオン／オフさせる表示ボタン１３及び電源スイッチ１４がある。なお、以下では、各種操作ボタンを操作部１５と総称する。操作部１５には、レリーズボタン６、モード切替スイッチ９、ズームボタン１０、メニューボタン１１、キャンセルボタン１２、表示ボタン１３及び電源スイッチ１４が含まれる。
【００１９】
次に、デジタルカメラ１の電気的構成を図３に基づいて説明する。撮影レンズ４には、レンズモータ２１が接続されている。また、絞り１６には、アイリスモータ２２が接続されている。これらのモータは、ステッピングモータからなり、ＣＰＵ２６に接続されたモータドライバ２３，２４から送信される駆動パルスにより動作制御され、レリーズボタン６の半押しに伴う撮影準備処理を行う。
【００２０】
レンズモータ２１は、ズーム操作ボタンの操作に連動して、撮影レンズ４のズームレンズをワイド側、あるいはテレ側に移動させる。また、ズームレンズの変倍等に応じて撮影レンズ４の図示しないフォーカスレンズを移動させ、撮影条件が最適となるように焦点調整を行う。アイリスモータ２２は、絞り１６を動作させ、露出調整を行う。
【００２１】
撮影レンズ４の背後にはＣＣＤ２５が配置されている。ＣＣＤ２５には、ＣＰＵ２６によって制御されるタイミングジェネレータ２７（ＴＧ）が接続され、このＴＧ２７から入力されるタイミング信号（クロックパルス）により、電子シャッタのシャッタ速度が決定される。
【００２２】
ＣＣＤ２５から出力された撮影信号は、相関二重サンプリング回路（ＣＤＳ）２８に入力され、ＣＣＤ２５の各セルの蓄積電荷量に正確に対応したＲ，Ｇ，Ｂの画像データとして出力される。ＣＤＳ２８から出力された画像データは、増幅器（ＡＭＰ）２９で増幅され、Ａ／Ｄ変換器（Ａ／Ｄ）３０でデジタルの画像データに変換される。
【００２３】
画像入力コントローラ３１は、バス３２を介してＣＰＵ２６に接続され、ＣＰＵ２６の制御命令に応じて、ＣＣＤ２５、ＣＤＳ２８、ＡＭＰ２９及びＡ／Ｄ３０を制御する。Ａ／Ｄ３０から出力された画像データは、ＳＤＲＡＭ３３に一時記録される。
【００２４】
画像信号処理回路３４は、ＳＤＲＡＭ３３から画像データを読み出して、階調変換、ホワイトバランス補正、γ補正処理等の各種画像処理を行い、この画像データを再度ＳＤＲＡＭ３３に記録する。ＹＣ変換処理回路（測光手段）３５は、画像信号処理回路３４で各種処理を行った画像データをＳＤＲＡＭ３３から読み出し、輝度信号Ｙと色差信号Ｃｒ，Ｃｂとに変換する。
【００２５】
ＶＲＡＭ３６は、ＬＣＤ７にスルー画像を出力するためのメモリであり、画像信号処理回路３４、ＹＣ変換処理回路３５を経た画像データが格納される。ＶＲＡＭ３６に格納された画像データは、ＬＣＤドライバ３８でアナログのコンポジット信号に変換され、ＬＣＤ７にスルー画像として表示される。
【００２６】
圧縮伸張処理回路３９は、ＹＣ変換処理回路３５でＹＣ変換された画像データに対して、所定の圧縮形式（例えば、ＪＰＥＧ形式）で画像圧縮を行う。圧縮された画像データは、メディアコントローラ４０を経由してメモリカード４１に記憶される。
【００２７】
ＣＰＵ２６には、前述した操作部１５の他に、ＥＥＰＲＯＭ４２が接続されている。ＥＥＰＲＯＭ４２には、各種制御用のプログラムや設定情報などのほか、後述する第１露出値と第２露出値との間で生じている露出差の大きさと色とを予め対応付けているデータテーブルが記録されている。データテーブルおける露出差の大きさと色との対応付けは、例えば表１のようになっている。ＣＰＵ２６は、これらの情報をＥＥＰＲＯＭ４２から作業用メモリであるＳＤＲＡＭ３３に読み出して、各種処理を実行する。
【００２８】
【表１】
2006270631.tif 000003
【００２９】
バス３２には、露出量、すなわち電子シャッタのシャッタ速度、及び絞り値が撮影に適切か否かを検出するＡＥ検出回路４３と、ホワイトバランスが撮影に適切か否かを検出するＡＷＢ検出回路４４と、撮影レンズ４の焦点距離が撮影に適切か否かを検出するＡＦ検出回路４５と、ストロボ装置５の動作を制御するストロボ制御回路４６とが接続されている。
【００３０】
ＡＥ検出回路４３は、ＹＣ変換処理回路３５でＹＣ変換された画像データの輝度信号Ｙの積算値を元に露出値の適否を検出し、この検出結果をＣＰＵ２６に送信する。また、ＡＥ検出回路４３には差分回路（演算手段）４７が接続されている。差分回路４７は、露出差演算回路（露出差演算部）を備えている。露出差演算回路は、画像全体の平均的な露出値（第１露出値）と、画像を複数に分割した領域毎の輝度信号の積算値から求めた露出値（第２露出値）との差を演算する。露出差演算回路で演算された結果は、ＣＰＵ２６に送信される。
【００３１】
なお、本実施形態では、差分回路４７では露出差の演算のみを行うこととしている。しかし、第１の変形例及び第２の変形例において後述するように、露出差演算回路で演算した露出差に基づいて、その露出差が生じている領域を適正露出とするための補正値をＬＣＤ７に表示する場合には、差分回路４７の中に補正値を演算する補正値演算回路（補正値演算部）を組み込むようにしてもよい。同様に、その補正値に基づいて、例えば絞り値、シャッタ速度、感度等を演算する露出設定値演算回路（露出設定値演算部）を組み込むようにしてもよいし、夜間撮影のようにストロボ装置５を使用する場合には、ストロボ装置５の発光量を演算する発光量演算回路（発光量演算部）のように、露出補正に関する具体的な値を演算する演算回路を組み込むようにしてもよい。
【００３２】
ＡＷＢ検出回路４４は、ＹＣ変換処理回路３５でＹＣ変換された画像データの色差信号Ｃｒ，Ｃｂとの積算値を元に、ホワイトバランスの適否を検出し、この検出結果をＣＰＵ２６に送信する。ＣＰＵ２６は、ＡＷＢ検出回路４４から送信された検出回路に基づいて、撮影レンズ４、絞り１６及びＣＣＤ２５の動作を制御する。
【００３３】
ＡＦ検出回路４５は、Ａ／Ｄ３０でデジタル化された画像データから画像の鮮鋭度を表すフォーカス評価値を算出し、この算出結果をＣＰＵ２６に送信する。フォーカス評価値は、画像の特定のエリアに対して、バンドパスフィルタなどで輪郭抽出処理を施し、これにより抽出した輪郭信号及び特定のエリアの輝度値を積算することで得られる。ここで、フォーカス表価値が大きいほど、その部分が合焦状態にあることを表している。
【００３４】
ストロボ制御回路４６は、ＡＥ検出回路４３から送信された検出結果に基づいてＣＰＵ２６から送信された信号を元に、ストロボ装置５の発光量等を制御するこの発光量を決定すると、その決定結果はＣＰＵ２６に送信される。
【００３５】
次に、デジタルカメラ１の動作を図４ないし図６に基づいて説明する。なお、図７に示すように、本実施形態では、被写体画像が８×８＝６４個の領域に分割されるものとして説明する。
【００３６】
電源スイッチ１４をオンにし、モード切替スイッチ９を撮影モードに切り替えると、デジタルカメラ１は撮影モードに移行する。撮影モードでは、ＣＰＵ２６は、レリーズボタン６が半押しされたかを一定の周期で確認している（ステップＳ１）。ここで、撮影者がレリーズボタン６を半押しすると、ＣＰＵ２６には操作部１５から操作信号が入力される。操作信号が入力されると、ＣＰＵ２６はＹＣ変換処理回路３５に被写体輝度を測光させるとともに、ＡＦ検出回路４５に焦点距離を調整させる（ステップＳ２）。また、ＹＣ変換処理回路３５から出力される輝度信号を受けて、ＡＥ回路は静止画像全体を適正露出とするための第１露出値を演算する（ステップＳ３）。そして、ＣＰＵ２６は、撮影者によってレリーズボタン６が全押しされたか否かを検出する。ここで、撮影者がレリーズボタン６を半押ししている間は、ＣＰＵ２６は露出値等をこの状態で保持し、レリーズボタン６が全押しされたか否かを一定の周期で確認している（ステップＳ４）。
【００３７】
ステップＳ４において、撮影者がレリーズボタン６を全押しすると撮影が行われる（ステップＳ５）。撮影時には、ＣＰＵ２６は、ステップＳ２及びＳ３において調整された条件で被写体画像の画像データをメモリカード４１に記録するとともに、撮影した被写体画像をＬＣＤ７に表示させる。
【００３８】
次に、ＣＰＵ２６は、被写体画像を６４個に分割し、それらの各領域における被写体輝度をＹＣ変換処理回路３５に測光させる。そして、ＹＣ変換処理回路３５から出力される輝度信号を受けて、ＡＥ検出回路４３は各領域を適正露出とするため第２露出値を演算する（ステップＳ７）。例えば、図７においては、ＹＣ変換処理回路３５は８×８＝６４個の各領域それぞれについて測光する。そして、これらの輝度信号を受けて、ＡＥ検出回路４３は各領域における第２露出値を演算する。
【００３９】
次に、ＣＰＵ２６は、任意の領域（例えば、領域５１）における露出差を差分回路に演算させ、この露出差が０〜±０．３ＥＶの範囲内にあるか否かを判定する（ステップＳ８）。ここで、領域５１における露出差が０〜±０．３ＥＶの範囲内である場合には、ＣＰＵ２６は、処理をステップＳ１２に移行させる。一方、領域５１における露出差が０〜±０．３ＥＶの範囲外である場合には、ＣＰＵ２６は、領域５１に生じている露出差が第１露出値に対してアンダーか否かを判定する（ステップＳ９）。そして、領域５１における露出差がオーバーだった場合には、ＣＰＵ２６は、領域５１の露出差が＋０．３〜＋０．６ＥＶの範囲内にあるか否かを判定する（ステップＳ１０）。
【００４０】
ここで、領域５１における露出差が＋０．３〜＋０．６ＥＶの範囲内である場合には、ＣＰＵ２６はＥＥＰＲＯＭ４２のデータテーブルと照合して、領域５１に生じている露出差に対応する色を決定する。そして、ＣＰＵ２６は、ＬＣＤドライバ３８に制御信号を出力して、領域５１を黄色に着色させる（ステップＳ１１）。そして、全ての領域について、ステップＳ８〜Ｓ１１までの処理を行ったかを判定し（ステップＳ１２）、全ての領域について上記の処理を行った場合には、一連の処理が終了する。一方、全ての領域について上記の処理が行われていない場合には、ＣＰＵ２６は、処理をステップＳ８に移行させる。そして、全ての領域についてステップＳ８〜Ｓ１１の処理を繰り返し行う。なお、ステップＳ１１の処理が行われる前に、ＣＰＵ２６は、ＬＣＤ７には被写体画像の輝度に基づいて作成された白黒画像を表示させている。この白黒画像は、輝度が高い領域については白く、輝度が低い領域については黒くなるように表示される。
【００４１】
次に、ステップＳ９において領域５１の露出差がアンダーだった場合の処理を図５に基づいて説明する。かかる場合には、まず、露出差が−０．３〜−０．６ＥＶの範囲内にあるか否かを判定する（ステップＳ１３）。ここで、領域５１の露出差が−０．３〜−０．６ＥＶの範囲内である場合には、ＣＰＵ２６は、ＥＥＰＲＯＭ４２のデータテーブルと照合して、領域５１に生じている露出差に対応する色を決定する。そして、ＣＰＵ２６は、ＬＣＤドライバ３８に制御信号を出力して、領域５１を水色に着色させる（ステップＳ１４）。一方、ステップＳ１３において、領域５１の露出差が−０．３〜−０．６ＥＶの範囲外である場合には、次に領域５１の露出差が−０．６〜−０．９ＥＶの範囲内にあるか否かを判定する（ステップＳ１５）。ここで、領域５１の露出差が−０．６〜−０．９ＥＶの範囲内である場合には、ＣＰＵ２６は、ＥＥＰＲＯＭ４２のデータテーブルと照合して、領域５１に生じている露出差に対応する色を決定する。そして、ＣＰＵ２６は、ＬＣＤドライバ３８に制御信号を出力して、領域５１を青色に着色させる（ステップＳ１６）。一方、領域５１の露出差が−０．６〜−０．９ＥＶの範囲外である場合には、ＣＰＵ２６は、ＥＥＰＲＯＭ４２のデータテーブルと照合して、領域５１に生じている露出差に対応する色を決定する。そして、ＣＰＵ２６は、ＬＣＤドライバ３８に制御信号を出力して、領域５１を紺色に着色させる（ステップＳ１７）。このように処理を行った後に、ＣＰＵ２６は処理をステップＳ１２に移行させる。
【００４２】
次に、ステップＳ１０において領域５１の露出差が＋０．３〜＋０．６ＥＶの範囲外だった場合の処理を図６に基づいて説明する。かかる場合には、ＣＰＵ２６は、領域５１の露出差が＋０．６〜＋０．９ＥＶの範囲内にあるか否かを判定する（ステップＳ１８）。ここで、領域５１の露出差が＋０．６〜＋０．９ＥＶの範囲内だった場合には、ＣＰＵ２６は、ＥＥＰＲＯＭ４２のデータテーブルと照合して、領域５１に生じている露出差に対応する色を決定する。そして、ＣＰＵ２６は、ＬＣＤドライバ３８に制御信号を出力して、領域５１を橙色に着色させる（ステップＳ１９）。一方、領域５１の露出差が＋０．６〜＋０．９ＥＶの範囲外だった場合には、ＣＰＵ２６は、ＥＥＰＲＯＭ４２のデータテーブルと照合して、領域５１に生じている露出差に対応する色を決定する。そして、ＣＰＵ２６は、ＬＣＤドライバ３８に制御信号を出力して、領域５１を赤色に着色させる（ステップＳ２０）。このような処理を行った後に、ＣＰＵ２６は処理をステップＳ１２に移行させる。
【００４３】
上記の処理を行った場合の被写体画像の一例を図８に基づいて説明する。図８に示すように、この被写体画像５２は、遠景に山５３が、近景に女性５４及び看板５５を撮影したものである。ここで、女性５４の顔部分には＋０．３ＥＶ、看板５５には−０．６ＥＶの露出差が生じているものとして説明する。上記処理が行われると、女性５４の顔部分が含まれる領域５６は黄色に着色されて、その上方には、この領域において生じている露出差が数値表示される（符号５７）。このときの露出差の表示（符号５７）の色は、領域５６と同色（黄色）で表示される。同様に、被写体画像のうち看板５５が含まれる領域５８は青色に着色されて、その領域の上方にはこの領域において生じている露出差が数値表示される（符号５９）。このときの露出差の表示（符号５９）の色についても同様に、領域５８と同色（青色）で表示される。なお、この被写体画像におけるこれら以外の領域の露出差は、上述のような着色がされていないので、露出差が０〜±０．３ＥＶの範囲内にあることを意味する。
【００４４】
このような画像を撮影後に表示させることで、撮影者が撮影した画像において、どの領域で露出差が生じているのか、また、その領域でどの程度の露出差が生じているのかを表示パネルに表示された被写体画像を見ることによって視覚的に撮影者に認識させることが可能になる。したがって、この画像を見た撮影者に対して、露出補正を行って新たに撮影を行うか否かの判断をさせることが可能になる。
【００４５】
例えば、図８に示す画像を見た撮影者が、女性５４の顔を適正露出で撮影したかった場合には、領域５６が着色表示されているのを確認することで女性５４の顔が適正露出で撮影されていないことを確認し、かつその上方の露出差（符号５９）を参照することで領域５６に生じている露出差を知ることができるので、撮影者は０．３ＥＶアンダーとなるように露出補正を行い、再度撮影をすればよい。同様に、撮影者が看板５５を適正露出で撮影したかった場合には、０．６ＥＶオーバーとなるように露出補正を行い、再度撮影を行えばよい。なお、撮影者が山５３を適正露出で撮影したかった場合には再度撮影を行う必要はない。
【００４６】
なお、本実施形態では、露出差の表示（符号５９）の色をその露出差の生じている領域と同色にすることとしているが、本発明はこれに限定されるものではなく、別の色によって表示させることとしてもよい。
【００４７】
なお、本実施形態では、露出差が生じている領域を着色表示させると共に、その露出差の値を数値表示させることとして説明をしたが、本発明はこれに限定されるものではなく、露出差以外のものを表示させることも可能である。以下において、その変形例について説明する。なお、デジタルカメラの構成においてすでに説明した部分と同一の箇所についてはその説明は省略し、符号も同一のものを使用する。
【００４８】
第１の変形例について説明する。図３において、差分回路４７は、露出差演算回路のほかに、補正値演算回路を備えている。補正値演算回路は、露出差演算回路によって演算された露出差に基づいて、その露出差が生じている領域を適正露出とするための補正値を演算する回路である。補正値演算回路によって演算された結果は、ＣＰＵ２６に送信される。
【００４９】
第１の変形例における被写体画像の一例を図９に示す。被写体画像７１では、露出差の生じている領域がその露出差の大きさに対応した色で着色されている。また、その領域の上方には、その領域を適正露出とするための補正値が表示されている。例えば、図９においては、女性５４の顔の近傍には、「−０．３ＥＶ」と表示されている（符号６０）。この数値は補正値であり、０．３ＥＶアンダーとなるように露出補正をすることにより、女性５４の顔が適正露出として撮影できることを意味している。同様に、看板５５には「＋０．６ＥＶ」と表示されている（符号６１）。これは、０．６ＥＶオーバーとなるように露出補正を行うことにより、看板５５が適正露出として撮影できることを意味している。
【００５０】
このように、補正値をＬＣＤ７に表示させることで、撮影者は補正値を視認することができるので、露出差から補正値を求めて、その補正値をカメラに設定するような煩わしさを解消することができるとともに、露出による撮影ミスを減少させることが可能になる。
【００５１】
次に、第２の変形例について説明する。図３において、差分回路４７は、露出差演算回路のほかに、補正値演算回路と露出設定値演算回路を備えている。露出設定値演算回路は、補正値演算回路によって演算された補正値に基づいて、その補正値に対応する露出補正を行うための絞り値とシャッタ速度とを演算する回路である。露出設定値演算回路によって演算された結果は、ＣＰＵ２６に送信される。
【００５２】
本変形例における被写体画像の一例を図１０に示す。被写体画像７２では、露出差の生じている領域がその露出差の大きさに対応した色で着色されている。また、その領域の上方には、その領域を適正露出とするための補正値の具体的な数値、すなわち、シャッタ速度及び絞り値を表示することとしている。図１０において、女性５４の顔の近傍には「Ｆ５．６  １／６０」と表示されている（符号６２）。これは、絞り値をＦ５．６、シャッタ速度を１／６０と設定することにより、女性５４の顔を適正露出として撮影できることを意味している。同様に、看板５５の近傍には「Ｆ２．８  １／１５」と表示されている（符号６３）。これは、絞り値をＦ２．８、シャッタ速度を１／１５と設定することにより、看板５５を適正露出として撮影できることを意味している。
【００５３】
このように、補正値に係る具体的なパラメータである絞り値とシャッタ速度とをＬＣＤ７に表示させることで、撮影者は、具体的にどの絞り値とシャッタ速度とに設定すればよいのかが一目で分かるので、撮影ミスをより減少させることが可能になる。
【００５４】
なお、本変形例では、表示するパラメータとしてシャッタ速度及び絞り値を表示することとしているが、例えばシャッタ速度のみ、又は絞り値のみを表示することとしても良い。また、これらのパラメータのほかに、感度等のような他のパラメータをそれ単体でのみ表示させることとしてもよいし、あるいはこのようなパラメータをシャッタ速度等と組み合わせて表示させることとしてもよい。また、夜間撮影時等のようにストロボ装置５を使用して撮影を行う場合には、前述のパラメータのほかに、ストロボ装置５の発光量を表示画像に表示させることとしてもよい。また、ストロボ装置５の発光量を表示画像に表示させる場合には、ストロボ装置５の発光量を演算する発光量演算回路を差分回路４７に組み込めばよい。ここで、発光量演算回路は、補正値演算回路によって演算された補正値に基づいて、その補正値に対応する露出補正を行うための発光量を演算する回路である。発光量演算回路によって演算された結果は、ＣＰＵ２６に送信される。
【００５５】
なお、本実施形態では、差分回路中に種々の回路を組み込むこととしているが、これらの回路をそれぞれ別個に設けることとしてもよいことは勿論である。また、第２の変形例において、露出設定値演算回路及び発光量演算回路は、補正値演算回路の演算結果に基づいて各演算を行うこととしているが、これらの演算は、露出差演算回路による演算結果に基づいて行うようにしてもよい。
【００５６】
また、本実施形態では、ＬＣＤ７を８×８＝６４個の領域に分割し、これらの領域毎に露出差を演算することとしているが、この領域数は固定されるものでない。例えば、撮影した後に上述したような処理を行うタイムロスを軽減させる場合には、この領域数を減少させることも可能であるし、また、露出差等をより精密に演算する場合には、この領域数を増加させることも可能である。したがって、露出差の演算を行う領域を画素単位にすることも可能である。
【００５７】
また、本実施形態では、撮影後に上述した露出差を表す画像を表示することとしているが、本発明はこれに限定されるものではなく、例えばレリーズボタン６が半押し時である時や、スルー画像が表示されている時等に露出差の演算を行って、逐次表示させることとしてもよい。
【００５８】
次に、本発明の第２の形態のデジタルカメラについて説明する。なお、本形態のデジタルカメラ１は、第１の形態のデジタルカメラの構造と重複する部分はその説明を省略し、また符号も同一のものを使用する。
【００５９】
図３において、操作部１５は選択部（選択手段）を備えている。選択部は、差分回路４７に第１露出値と第２露出値との露出差を演算させる際に、この露出差を演算させる領域を撮影者に選択させる。領域を選択する場合には、例えば、メニューボタン１１とキャンセルボタン１２とを同時に操作して領域を選択する選択画面をＬＣＤ７に表示させ、その後にメニューボタン１１を操作して露出差を演算する領域を選択するようにすればよい。また、露出差を演算する領域を決定する場合には、メニューボタン１１を１秒以上押下する等の操作によって行うようにすればよい。このように、露出差を演算する領域が決定されると、選択部は、選択信号をＣＰＵ２６に出力して、どの領域が選択されたかをＣＰＵ２６に報知する。なお、領域の選択の操作は、上記の方法に限定されるものでないことは勿論である。また、選択部に相当するボタン等をデジタルカメラ１に設けて、それを操作することとしてもよい。
【００６０】
まず、デジタルカメラ１の電源スイッチ１４をオンにし、モード切替スイッチ９を撮影モードに切り替えると、デジタルカメラ１は撮影モードに移行する。撮影モードでは、ＣＰＵ２６は、レリーズボタン６が半押しされたかを一定の周期で確認している（ステップＳ３１）。ここで、撮影者がレリーズボタン６を半押しすると、ＣＰＵ２６には操作部１５から操作信号が入力される。操作信号が入力されると、ＣＰＵ２６はＹＣ変換処理回路３５に被写体輝度を測光させるとともに、ＡＦ検出回路４５に焦点距離を調整させる（ステップＳ３２）。また、ＹＣ変換処理回路３５から出力される輝度信号を受けて、ＡＥ回路は静止画像を適正露出とするための第１露出値を演算する（ステップＳ３３）。そして、ＣＰＵ２６は、撮影者によってレリーズボタン６が全押しされたか否かを検出する。ここで、撮影者がレリーズボタン６を半押ししている間は、ＣＰＵ２６は露出値等をこの状態で保持し、レリーズボタン６が全押しされたか否かを一定の周期で確認している（ステップＳ３４）。
【００６１】
ステップＳ３４において、撮影者がレリーズボタン６を全押しすると撮影が行われる（ステップＳ３５）。撮影時には、ＣＰＵ２６は、ステップＳ３２及びＳ３３において調整された条件で被写体画像の画像データをメモリカード４１に記録するとともに、被写体画像をＬＣＤ７に表示させる。
【００６２】
次に、ＣＰＵ２６は、被写体画像を複数に分割した領域のうち、どの領域の測光をするか撮影者に選択させる（ステップＳ３６）。例えば、図１２に示すように、撮影者が被写体画像７３を撮影した場合に撮影者が領域６５を選択したときは、ＣＰＵ２６は、その領域の測光を行い、第２露出値を演算する（ステップＳ３７）。
【００６３】
次に、ＣＰＵ２６は、領域６５の第２露出値と第１露出値との差（露出差）が０〜±０．３ＥＶの範囲内にあるか否かを判定する（ステップＳ３８）。ここで、領域６５における露出差が０〜±０．３ＥＶの範囲内である場合には、処理をステップＳ４１に移行させる。一方、領域６５における露出差が０〜±０．３ＥＶの範囲外である場合には、ＣＰＵ２６は、領域５１に生じている露出差と対応した色を選択し、その色に領域６５を着色し（ステップＳ３９）、その領域に生じている露出差を表示する（ステップＳ４０）。なお、ステップＳ３９における、選択した領域を露出差と対応した色に着色する処理とは、具体的には、第１の形態において説明したステップＳ９〜Ｓ２０までの処理のことをいう。
【００６４】
次に、他の領域についても露出差の演算を行うか否か撮影者に選択させる（ステップＳ４１）。ここで、撮影者が、他の領域についても露出差の演算を行う場合には、ＣＰＵ２６は、処理をステップＳ３６に移行させて、ステップＳ３６〜Ｓ４０の処理を再度行う。一方、撮影者が他の領域の露出差の演算は必要ないと判断した場合には、処理をステップＳ３６に移行させずに、一連の処理が終了する。
【００６５】
上記の処理を行った場合の被写体画像の一例を図１２に基づいて説明する。図１２に示すように、この被写体画像７３は、遠景に山５３、近景に女性５４及び看板５５を撮影したものである。ここで、女性５４の顔部分が属する領域が枠６５で囲まれている。この枠６５は、選択部を操作することによって撮影者が選択した領域を表示している。また、枠
６５で表示された領域において生じている露出差は、その上方に数値表示される（符号５７）。
【００６６】
このように、撮影者が選択した領域のみについて露出差を表示させることにより、撮影者は、被写体画像のうち撮影者が再現したい部分が属する領域のみの露出差の大きさを知ることができるので、その露出差の大きさを見間違えるというようなミスを防ぐことができる。また、被写体画像の一部分のみについて上述の処理を行うので、撮影した後から露出差の表示をするまでの時間のロスを減少させることができ、撮影者にストレスを感じさせなくすることが可能にある。
【００６７】
なお、本形態のデジタルカメラについても、第１の形態のデジタルカメラと同様に、表示画面の領域数が６４個に固定されるものではない。また、露出差の表示のタイミングも、撮影後のみならず、シャッターボタン半押し時やスルー画像表示時であってもよい。さらに、露出差を数値表示させるのみならず、前述したような露出差以外のパラメータを数値表示させることとしてもよい。
【図面の簡単な説明】
【００６８】
【図１】本発明の一形態であるデジタルカメラの外観斜視図である。
【図２】デジタルカメラを裏面側から表した外観斜視図である。
【図３】デジタルカメラの電気的構成を表わしたブロック図である。
【図４】デジタルカメラの一連の処理を表わしたフローチャートである。
【図５】デジタルカメラの一連の処理を表わしたフローチャートである。
【図６】デジタルカメラの一連の処理を表わしたフローチャートである。
【図７】表示画像と各領域との関係を表した説明図である。
【図８】表示画像の一例を表した説明図である。
【図９】表示画像の一例を表した説明図である。
【図１０】表示画像の一例を表した説明図である。
【図１１】本発明変形例であるデジタルカメラの一連の処理を表わしたフローチャートである。
【図１２】表示画像の一例を表した説明図である。
【符号の説明】
【００６９】
１  デジタルカメラ
５  ストロボ装置
７  ＬＣＤ
１６  絞り
２５  ＣＣＤ
２６  ＣＰＵ
４３  ＡＥ検出回路
４６  ストロボ制御回路
４７  差分回路
【図１】
2006270631.tif 000004
【図２】
2006270631.tif 000005
【図３】
2006270631.tif 000006
【図４】
2006270631.tif 000007
【図５】
2006270631.tif 000008
【図６】
2006270631.tif 000009
【図７】
2006270631.tif 000010
【図８】
2006270631.tif 000011
【図９】
2006270631.tif 000012
【図１０】
2006270631.tif 000013
【図１１】
2006270631.tif 000014
【図１２】
2006270631.tif 000015